(57)【要約】【課題】別途の半田付けの工程なしに簡単に組み付けることができるサイドキーモジュールを提供すること。【解決手段】移動通信端末機の側面に装着されるサイドキーと内部に装着される印刷回路基板との間に設けられるサイドキーモジュールは、長板形状からなり、所定面積の切開部を有しており、前記印刷回路基板に接触することになる導電性材の第１プレートと、前記第１プレートの切開部に配置され、前記第１プレートと同じ平面をなすことができる形状からなり、前記印刷回路基板に接触することになる導電性材の第２プレートと、前記第１プレート及び第２プレートを収容する胴体と、前記胴体の一側に結合され、前記サイドキーの加圧時、前記第１プレート及び第２プレートに接触し、前記第１プレート及び第２プレートが電気的につながるようにするメタルドームとを含む。【選択図】図３
2010136366.tif 000002
【特許請求の範囲】
【請求項１】
移動通信端末機の側面に装着されるサイドキーと内部に装着される印刷回路基板との間に設けられるサイドキーモジュールにおいて、
長板形状からなり、所定面積の切開部を有しており、前記印刷回路基板に接触することになる導電性材の第１プレートと、
前記第１プレートの切開部に配置され、前記第１プレートと同じ平面をなすことができる形状からなり、前記印刷回路基板に接触することになる導電性材の第２プレートと、
前記第１プレート及び第２プレートを収容する胴体と、
前記胴体の一側に結合され、前記サイドキーを加圧すると、前記第１プレート及び第２プレートに接触し、前記第１プレート及び第２プレートが電気的につながるようにするメタルドームとを含む、移動通信端末機のサイドキーモジュール。
【請求項２】
前記胴体は、インサート射出成型により前記第１プレートと第２プレートが一体化される、請求項１に記載の移動通信端末機のサイドキーモジュール。
【請求項３】
前記第１プレート及び第２プレートは、前記印刷回路基板に向けて折り曲げ形成され、前記印刷回路基板と常時接触することになる第１接触部と第２接触部をそれぞれ有する、請求項１又は２に記載の移動通信端末機のサイドキーモジュール。
【請求項４】
前記第１接触部が前記第１プレートの下端から上方に折り曲げ形成されており、前記第２接触部が前記第２プレートの上端から下方に折り曲げ形成されるか、または前記第１接触部が前記第１プレートの上端から下方に折り曲げ形成されており、前記第２接触部が前記第２プレートの下端から上方に折り曲げ形成される、請求項３に記載の移動通信端末機のサイドキーモジュール。
【請求項５】
前記第１接触部は、前記印刷回路基板の側面の上端又は下端を加圧するように形成されており、前記第２接触部は、前記印刷回路基板の側面の下端又は上端を加圧するように形成される、請求項４に記載の移動通信端末機のサイドキーモジュール。
【請求項６】
前記第１接触部及び第２接触部は、それぞれ前記第１プレート及び第２プレートの下端から上方に折り曲げ形成される、請求項３に記載の移動通信端末機のサイドキーモジュール。
【請求項７】
前記第１接触部及び第２接触部は、前記胴体の射出成型が完了されてからそれぞれ折り曲げられる、請求項６に記載の移動通信端末機のサイドキーモジュール。
【請求項８】
前記胴体の上端両側には、前記移動通信端末機への組付け時、挿入方向を案内し得るための段顎が形成されている、請求項１または２に記載の移動通信端末機のサイドキーモジュール。
【発明の詳細な説明】
【技術分野】
【０００１】
本発明は、移動通信端末機の側面に装着され、移動通信端末機に内蔵された印刷回路基板に接触して連結されるサイドキーモジュールに関するものであって、特に、別途の半田付けの工程なしに簡単に組み付けることができるサイドキーモジュールに関する。
【背景技術】
【０００２】
移動通信端末機は、使用者が携帯しながら相手側と無線通信を行えるための装置として、こうした移動通信端末機は、外形及び作動状態によってストレートタイプ、フリップタイプ、折畳みタイプ、スライドタイプ、及びスイングタイプに分けられる。
【０００３】
このような移動通信端末機には、移動通信端末機に設けられたカメラを操作したり、様々音量を調節したりするために移動通信端末機本体の前面に露出されるキーパッドの他に本体の側面にサイドキーが設けられる。
【０００４】
最近、移動通信端末機のスリム化に符合するように移動通信端末機内のサイドキーの占有面積の削減化が図れている。しかし、従来のタクトスイッチ(ｔａｃｔ  ｓｗｉｔｃｈ)を利用したサイドキーモジュールの場合、タクトスイッチそれ自体のサイズが大きいので、移動通信端末機の印刷回路基板(ｐｒｉｎｔｅｄ  ｃｉｒｃｕｉｔ  ｂｏａｒｄ、ＰＣＢ)に装着するとき、装着面積を多く取るので、移動通信端末機を設計するとき、厚さをスリム化し難いという問題があった。
【０００５】
また、軟性印刷回路基板(ｆｌｅｘｉｂｌｅ  ｐｒｉｎｔｅｄ  ｃｉｒｃｕｉｔ  ｂｏａｒｄ、ＦＰＣＢ)を利用しているサイドキーモジュールの場合、軟性印刷回路基板を移動通信端末機の印刷回路基板に連結するとき、別途の半田付けなどの作業が行われなければならないので、組立性が低かった。
【発明の概要】
【発明が解決しようとする課題】
【０００６】
本発明の目的は、前述したような問題を解決するもので、別途の半田付けの工程を必要とせず、簡単に組立てることができる移動通信端末機のサイドキーモジュールを提供することにある。
【０００７】
また、本発明の目的は、印刷回路基板と接触することになる接触部の構造を改善することによって、印刷回路基板が堅固に固定できるようにする移動通信端末機のサイドキーモジュールを提供することにある。
【０００８】
さらに、本発明の目的は、印刷回路基板と接触することになる接触部の剛性を補強するようになっている移動通信端末機のサイドキーモジュールを提供することにある。
【課題を解決するための手段】
【０００９】
前述した本発明の目的は、移動通信端末機の側面に装着されるサイドキーと内部に装着される印刷回路基板との間に設けられるサイドキーモジュールにおいて、長板形状からなり、所定面積の切開部を有しており、前記印刷回路基板に接触することになる導電性材の第１プレートと、前記第１プレートの切開部に配置され、前記第１プレートと同じ平面をなすことができる形状からなり、前記印刷回路基板に接触することになる導電性材の第２プレートと、前記第１プレート及び第２プレートを収容する胴体と、前記胴体の一側に結合され、前記サイドキーの加圧時、前記第１プレート及び第２プレートに接触し、前記第１プレート及び第２プレートが電気的につながるようにするメタルドームとを包含する移動通信端末機のサイドキーモジュールを提供することによって達成される。
【００１０】
本発明の望ましい特徴によれば、前記胴体は、インサート射出成型により前記第１プレート及び第２プレートと一体化される。
【００１１】
本発明の他の望ましい特徴によれば、前記第１プレート及び第２プレートは、前記印刷回路基板に向けて折り曲げ形成され、前記印刷回路基板と常時接触することになる第１接触部と第２接触部とをそれぞれ有する。
【００１２】
この場合、前記第１接触部が前記第１プレートの下端から上方に折り曲げ形成されており、前記第２接触部が前記第２プレートの上端から下方に折り曲げ形成されるか、又は前記第１接触部が前記第１プレートの上端から下方に折り曲げ形成されており、前記第２接触部が前記第２プレートの下端から上方に折り曲げ形成されることが望ましい。さらに望ましくは、前記第１接触部は、前記印刷回路基板の側面の上端又は下端を加圧するように形成され、前記第２接触部は、前記印刷回路基板の側面の下端又は上端を加圧するように形成される。
【００１３】
本発明のさらに望ましい特徴によれば、前記第１接触部及び第２接触部は、それぞれ前記第１プレート及び第２プレートの下端から上方に折り曲げ形成される。
【００１４】
この場合、前記第１接触部及び第２接触部は、前記胴体の射出成型が完了された後、それぞれ折り曲げられることがさらに望ましい。
【００１５】
本発明のさらに望ましい特徴によれば、前記胴体の上端両側には、前記移動通信端末機への組立時、挿入方向を案内するための段顎が形成される。
【発明の効果】
【００１６】
したがって、本発明による移動通信端末機のサイドキーモジュールによれば、別途の半田付け工程を必要とせず、容易な組立てが可能となる。また、第１プレート及び第２プレートの接触部がそれぞれ印刷回路基板の側面上端及び下端を加圧しながら接触しているので、印刷回路基板を堅固に固定させることができ、衝撃が与えられても断線現象を防止することができる。さらに、胴体の射出工程が完了した後、第１プレート及び第２プレートの接触部を折り曲げ形成するので、射出前に接触部を折り曲げ形成したものに比して接触部の剛性を改善できる。
【図面の簡単な説明】
【００１７】
【図１】本発明の一実施例による移動通信端末機のサイドキーモジュールの正面斜視図。
【図２】図１に示したサイドキーモジュールの背面斜視図。
【図３】図２に示したサイドキーモジュールの内部を示す斜視図。
【図４】図１に示したサイドキーモジュールが移動通信端末機に設置されている態様を示す断面図。
【図５】図４においてサイドキーモジュールの接触部が印刷回路基板を加圧する力の方向を表した概念図。
【図６】本発明の他の実施例による移動通信端末機のサイドキーモジュールの背面斜視図。
【図７】図６にしめしたサイドキーモジュールの内部を示す斜視図。
【図８】本発明のさらに他の実施例による移動通信端末機のサイドキーモジュールの背面斜視図。
【図９】本発明のさらに他の実施例による移動通信端末機のサイドキーモジュールの背面斜視図。
【図１０】本発明のさらに他の実施例による移動通信端末機のサイドキーモジュールの背面斜視図。
【発明を実施するための形態】
【００１８】
以下では、本発明の望ましい実施例に関して添付図面を参照して詳しく説明する。但し、以下に説明される実施例は、本発明が属する技術分野において通常の知識を有する者が発明を容易に実施し得る程度に詳細に説明するためのものに過ぎず、これにより本発明の技術的範囲が限定されることを意味するのではない。
【００１９】
図１は、本発明の一実施例による移動通信端末機のサイドキーモジュールの背面斜視図であり、図２は、図１に図示のサイドキーモジュールの背面斜視図であり、図３は、図２に図示のサイドキーモジュールの内部を示す斜視図であり、図４は、図１に図示のサイドキーモジュールが移動通信端末機に設置された状態を示す断面図であり、図５は、図４におけるサイドキーモジュールの接触部が印刷回路基板を加圧する力の方向を表した概念図である。
【００２０】
移動通信端末機のサイドキーモジュール１は、移動通信端末機のサイドキー３と、移動通信端末機の印刷回路基板(以下、印刷回路基板と称する)５との間に設けられ、使用者がサイドキー３を加圧すると、加圧されたキーの信号を印刷回路基板５に送る役割を奏する。
【００２１】
サイドキーモジュール１は、第１プレート２０、第２プレート３０、胴体４０及びメタルドーム１０を包む。
【００２２】
第１プレート２０は、長板形状からなる。そして第１プレート２０には所定面積の切開部が形成されており、該切開部には後述するように第２プレート３０が配置される。
【００２３】
第１プレート２０は、印刷回路基板５に接触するように形成されており、望ましくは、第１プレート２０は、印刷回路基板５に向けて折り曲げ形成されており、印刷回路基板５と常時接触される第１接触部２６を有する。
【００２４】
第１接触部２６は、第１プレート２０の中央に形成され、印刷回路基板５の側面と当接することができる。そして第１接触部２６は、第１プレート２０の下端から上方に折り曲げ形成されたり、または第１プレート２０の上端から下方に折り曲げ形成されたりすることができる。これにより、第１接触部２６は、印刷回路基板５の側面の上端又は下端を加圧することになる。
【００２５】
第１接触部２６は、第１プレート２０の中央に形成することができ、第１接触部２６を基準として両方に第２プレート３０が配置されるための切開部を有しており、切開部は、第１切開部２２及び第２切開部２４が互いに連結して構成される。
【００２６】
第２プレート３０は、第１プレート２０の切開部２２、２４に配置され、第１プレート２０と同一平面をなすことができる形状に構成される。
【００２７】
第２プレート３０は、印刷回路基板５に接触するように形成されており、望ましくは、印刷回路基板５に向けて折り曲げ形成され、印刷回路基板５と常時接触することになる第２接触部３２を有する。
【００２８】
第２接触部３２は、第２プレート３０の中央に形成されており、印刷回路基板５の側面と当接することができる。そして、第２接触部３２は、第２プレート３０の上端から下方に折り曲げ形成されたり、第２プレート３０の下端から上方に折り曲げ形成されたりすることができる。これにより、第２接触部３２は印刷回路基板５の側面の下端又は上端を加圧することになる。
【００２９】
一方、第１接触部２６と第２接触部３２が互いに反対側から折り曲がるように構成することが望ましい。即ち、第１接触部２６が第１プレート２０の下端から上方に折り曲げられた場合、第２接触部３２は第２プレート３０の上端から下方に折り曲がるようにする。そのことから、第１接触部２６と第２接触部３２は、それぞれ印刷回路基板５の上端及び下端を加圧することになり、印刷回路基板５を堅固に固定することができるので、衝撃が与えられても断線現象を防止することができる。
【００３０】
第１プレート２０の第２切開部２４は、メタルドーム１０と類似した形態の平面を有するように形成されており、メタルドーム１０より小さいサイズからなっている。これにより、メタルドーム１０は、第２切開部２４を有している第１プレート２０の面に接触することが可能となる。
【００３１】
そして、第２プレート３０は、第１プレート２０の第２切開部２４に配置されており、メタルドーム１０と接触する部分に拡張部３４を有し得る。このように拡張部３４を設けているのは、メタルドーム１０との接触面積を広げるためであって、拡張部３４は、第１プレート２０の第２切開部２４に大略対応するような形状に形成されることがよい。
【００３２】
胴体４０は、第１プレート２０と第２プレート３０を収容する役割を奏する。望ましくは、胴体４０は、インサート射出成型により第１プレート２０及び第２プレート３０と一体形成される。この場合、第１プレート２０と第２プレート３０の第１接触部２６及び第２接触部３２を折り曲げ形成した後、インサート射出成型を通じて胴体４０を形成する。
【００３３】
胴体４０の上端両側には断顎４６が形成されることができ、断顎４６は、サイドキーモジュールを移動通信端末機の内部に組み付けるとき、組み付け方向を案内するために設けられたものであって、それによりサイドキーの組立時、逆方向挿入の虞を無くすことができる。
【００３４】
メタルドーム１０は、胴体４０の一側に組み合わされ、サイドキー３が印刷回路基板５の方向に加圧されたとき、その方向に変形し、第１プレート２０と第２プレート３０が電気的につながるようにする役割を奏する。メタルドーム１０は、弾性変形するものであるから、サイドキー３に加えられた圧力が消滅すると、元の状態に回復し、それに従ってサイドキー３も元の状態に回復することになる。
【００３５】
前述したように、メタルドーム１０は、第２切開部２４を有する第１プレート２０の面に接触し、第２プレート３０の拡張部３４に接触することになる。つまり、メタルドーム１０に圧力が加わった場合、メタルドーム１０の外側部分が第１プレート２０に接触し、中央部が第２プレート３０の拡張部３４に接触することにより、両者を電気的に連結することになる。
【００３６】
メタルドーム１０は、様々な形状から形成されることができ、望ましくは、サイドキー３に繰り返して圧力が与えられる場合にも、復元力を維持し得るように半球形の形状から構成される。
【００３７】
次いで、図４及び図５を参照して移動通信端末機のサイドキーモジュール１とサイドキー３及び印刷回路基板５の組合せ関係について説明する。
サイドキー３は、移動通信端末機７の側面に装着され、印刷回路基板５は、移動通信端末機７の内部に装着され、サイドキーモジュール１は、サイドキー３と印刷回路基板５との間に装着される。
【００３８】
この場合、第１プレート２０及び第２プレート３０の第１接触部２６及び第２接触部３２は、それぞれ印刷回路基板５の側面に接触するが、特に、それぞれの印刷回路基板５の側面の上端及び下端を加圧することになる(図５参照)。したがって、第１接触部２６及び第２接触部３２が互いに違う方向に向けて印刷回路基板５の側面を加圧することになり、印刷回路基板５を堅固に固定することができ、且つ、移動通信端末機に衝撃が与えられた場合にも印刷回路基板５が離脱する現象を防止できるので、断線を予防することが可能である。
【００３９】
図６は、本発明の他の実施例による移動通信端末機のサイドキーモジュールの背面斜視図であり、図７は、図６に図示のサイドキーモジュールの内部を示した斜視図である。
【００４０】
図６及び図７に示したサイドキーモジュールに関しては、前述した本発明の一実施例によるサイドキーモジュールと差異のある部分についてのみ説明する。図６及び図７に示したように、第１プレート２０の第１接触部２６と第２プレート３０の第２接触部３２は、それぞれ第１プレート２０及び第２プレート３０の下端から上方に折り曲げ形成されている。そこで、第１接触部２６及び第２接触部３２は、胴体４０の射出成型が完了されてから折り曲げ形成されるのが望ましい。
【００４１】
第１接触部２６と第２接触部３２が下端にそれぞれ設けられた理由は、胴体の射出成型前に第１接触部２６と第２接触部３２を伸ばすことができるようにするためである。即ち、前述した本発明の一実施例によれば、第１接触部２６と第２接触部３２を伸ばした状態では第１プレート２０と第２プレート３０が同一平面をなすことができない。
【００４２】
第１接触部２６と第２接触部３２を折り曲げ形成した後に胴体４０を射出成型する場合より、胴体４０を射出成型した後に第１接触部２６及び第２接触部３２を折り曲げ形成することが、剛性補強の点で有利となる。
【００４３】
したがって、本発明の他の実施例では、第１接触部２６及び第２接触部３２が伸ばされた状態で第１プレート２０、第２プレート３０及び胴体４０をインサート成型し、次いで第１接触部２６及び第２接触部３２をそれぞれ折り曲げ形成する。
【００４４】
図８乃至図１０は、本発明のさらに他の実施例による移動通信端末機のサイドキーモジュールの背面斜視図である。
先ず、図８に示したように、第１接触部２６及び第２接触部３２は、それぞれ第１プレート２０及び第２プレート４０の上端から下方に折り曲げ形成されており、第１接触部２６及び第２接触部３２が伸ばされた状態でインサート射出成型され、次いで第１接触部２６及び第２接触部３２が折り曲げ形成される。この場合、第１接触部２６及び第２接触部３２は、印刷回路基板５の側面に接触する。
【００４５】
図９に示されているように、第１接触部２６と第２接触部３２は、それぞれ印刷回路基板５の上面に接触するように折り曲げ形成されることができる。また、図１０に示されているように、第１接触部２６と第２接触部３２は、それぞれ印刷回路基板５の下面に接触するように折り曲げ形成されることもできる。
【符号の説明】
【００４６】
１  サイドキーモジュール
３  サイドキー
５  印刷回路基板 
７  移動通信端末機
１０  メタルドーム
２０  第１プレート
２２  第１切開部
２４  第２切開部
２６  第１接触部
３０  第２プレート
３２  第２接触部
３４  拡張部
４０  胴体
４６  段顎
【図１】
2010136366.tif 000003
【図２】
2010136366.tif 000004
【図３】
2010136366.tif 000005
【図４】
2010136366.tif 000006
【図５】
2010136366.tif 000007
【図６】
2010136366.tif 000008
【図７】
2010136366.tif 000009
【図８】
2010136366.tif 000010
【図９】
2010136366.tif 000011
【図１０】
2010136366.tif 000012